(57)【要約】【課題】渦巻ばねケースに取り付けられた歯車と噛み合わせて引戸を走行させるためのラックを使用せず、簡素化できるようにした引戸の自閉装置を提供する。【解決手段】引戸１の上端に取り付けられる自閉装置１０は収容ケース１１と、収容ケース１１内に立設状態で配設され巻き戻しによる反発力により引戸１の閉動作を行なわせる渦巻ばね１２と、渦巻ばね１２を収納し渦巻ばね１２の端部を係止する回転可能な渦巻ばねケース１４と、渦巻ばねケース１４に取り付けらた歯車板１６と、収容ケース１１内に配設され引戸１が閉方向に移動される際にこの閉動作を制動させる制動装置９と、この制動装置９の外周に形成されて前記歯車板１６の外周の歯車１５と噛合する制動用の歯車１７と、渦巻ばねケース１４の環状の凹部に巻回されて一端が渦巻ばねケース１４に固定され他端が上枠２の下面に支持される索状体１９を備えてなる。【選択図】図４
2007332760.tif 000002
【特許請求の範囲】
【請求項１】
引戸の上端に取り付けられる自閉装置は収容ケースと、収容ケース内に立設状態で配設され巻き戻しによる反発力により引戸の閉動作を行なわせる渦巻ばねと、この渦巻ばねの中心側端部が係止され収容ケースより外部にのぞむように露出して渦巻ばねのばね力調整可能な軸体と、渦巻ばねを収納し渦巻ばねの外周側端部が係止されている回転可能な渦巻ばねケースと、渦巻ばねケースの開口部を覆うように渦巻ばねケースに取り付けられ外周に歯車が形成された歯車板と、収容ケース内に配設され所定の回転方向に対してのみ制動機能を発揮して引戸が閉方向に移動される際にこの閉動作を制動させる制動装置と、この制動装置の外周に形成されて前記歯車と噛合する制動用の歯車と、前記歯車板により開口部が閉じられた渦巻ばねケースの外周に形成される環状の凹部に巻回されて一端が渦巻ばねケースに固定された索状体と、渦巻ばねケースから繰り出された索状体の他端側を収容ケースの上部から突出させ戸先側に導くために収容ケースの上部に設けた案内ローラと、収容ケース内において前記渦巻ばねケースからの繰り出し部と案内ローラとの間で索状体が垂れるのを防止するために渦巻ばねケースの繰り出し部と案内ローラとの間の位置で索状体よりも戸尻寄りの位置で収容ケース内に設けられた弛み防止部材とを備え、前記収容ケースの上部から突出する索状体の他端側は前記案内ローラを介して戸先側に向きを変えて上枠の下面に支持されることを特徴とする引戸の自閉装置。
【請求項２】
自閉装置が引戸の上端前面に取り付けられた状態において収容ケースを前方より覆う化粧カバーを設け、この化粧カバーは収容ケースの前面を覆う前面覆い部と、収容ケースの下面を覆う下面覆い部と、収容ケースの左右の側面を覆う側面覆い部とを備え、側面覆い部の上端内面には収容ケースの上端角部の上面に係止する爪部が形成され、さらに前面覆い部の上端には前記案内ローラから収容ケースの外部に引き出された直後の索状体を前方より見えないようにするための覆い部が延設されていることを特徴とする請求項１記載の引戸の自閉装置。
【発明の詳細な説明】
【技術分野】
【０００１】
本発明は、引戸の閉動作を自動的に行なわせるように構成した引戸の自閉装置に関するものである。
【背景技術】
【０００２】
従来のこの種引戸の自閉装置としては、例えば特許文献１などで知られているものがある。この特許文献１に記載されている引戸の自閉装置は、引戸の上方部後端近くに取り付けられる本体と、この本体に設けられ、引戸の開放方向への移動に伴って閉止方向への反発力を蓄積する渦巻ばねと、この渦巻ばねに連繋された回転自在の主歯車と、渦巻ばねに隣接して設けられ、主歯車に噛合された従歯車の回転で渦巻ばねの反発力を制御するオイルダンパーと、主歯車に噛合させ、後端もしくは前後両端を開口部の上枠に取り付けて引戸の走行方向に架け渡したラックとから構成されている。
【特許文献１】特開平１１−１５２９５５号公報
【発明の開示】
【発明が解決しようとする課題】
【０００３】
上記特許文献１に記載されている引戸の自閉装置の構成では、引戸の走行範囲以上の長さのラックが必要であり、その分コストアップにつながるばかりか、そのようなラックが開口部の上枠に取り付けられているので目障りになるという問題があった。
【０００４】
本発明の目的は、このような課題を解決するものであり、渦巻ばねに連繋される歯車と噛み合わせて引戸を走行させるためのラックを使用せず、コストダウンを図るとともに、長さの長いラックが開口部の上枠に存在しないので目障りとならず、簡素化できるようにした引戸の自閉装置を提供することにある。
【課題を解決するための手段】
【０００５】
本発明の請求項１に記載の引戸の自閉装置は、引戸の上端に取り付けられる自閉装置は収容ケースと、収容ケース内に立設状態で配設され巻き戻しによる反発力により引戸の閉動作を行なわせる渦巻ばねと、この渦巻ばねの中心側端部が係止され収容ケースより外部にのぞむように露出して渦巻ばねのばね力調整可能な軸体と、渦巻ばねを収納し渦巻ばねの外周側端部が係止されている回転可能な渦巻ばねケースと、渦巻ばねケースの開口部を覆うように渦巻ばねケースに取り付けられ外周に歯車が形成された歯車板と、収容ケース内に配設され所定の回転方向に対してのみ制動機能を発揮して引戸が閉方向に移動される際にこの閉動作を制動させる制動装置と、この制動装置の外周に形成されて前記歯車と噛合する制動用の歯車と、前記歯車板により開口部が閉じられた渦巻ばねケースの外周に形成される環状の凹部に巻回されて一端が渦巻ばねケースに固定された索状体と、渦巻ばねケースから繰り出された索状体の他端側を収容ケースの上部から突出させ戸先側に導くために収容ケースの上部に設けた案内ローラと、収容ケース内において前記渦巻ばねケースからの繰り出し部と案内ローラとの間で索状体が垂れるのを防止するために渦巻ばねケースの繰り出し部と案内ローラとの間の位置で索状体よりも戸尻寄りの位置で収容ケース内に設けられた弛み防止部材とを備え、前記収容ケースの上部から突出する索状体の他端側は前記案内ローラを介して戸先側に向きを変えて上枠の下面に支持されることを特徴とする。
【０００６】
請求項２に記載の引戸の自閉装置は、自閉装置が引戸の上端前面に取り付けられた状態において収容ケースを前方より覆う化粧カバーを設け、この化粧カバーは収容ケースの前面を覆う前面覆い部と、収容ケースの下面を覆う下面覆い部と、収容ケースの左右の側面を覆う側面覆い部とを備え、側面覆い部の上端内面には収容ケースの上端角部の上面に係止する爪部が形成され、さらに前面覆い部の上端には前記案内ローラから収容ケースの外部に引き出された直後の索状体を前方より見えないようにするための覆い部が延設されていることを特徴とする。
【発明の効果】
【０００７】
以上のように、本発明の引戸の自閉装置は、引戸を走行させるためのラックを使用せず、渦巻ばねケースの外周の環状の凹部に巻回され収容ケースの上部から突出する索状体の他端部を上枠の下面に支持するという極めて簡単な構成により渦巻ばねの巻き戻しによる反発力により引戸の閉動作を行なわせることができ、コストダウンを図るとともに、長さの長いラックが開口部の上枠に存在しないので目障りとならず、簡素化できる。また、収容ケース内において渦巻ばねケースからの繰り出し部と案内ローラとの間で索状体が垂れるのを防止するために渦巻ばねケースの繰り出し部と案内ローラとの間の位置で索状体よりも戸尻寄りの位置で収容ケース内に設けられた弛み防止部材とを備えているので、引戸を渦巻ばねによる閉動速度よりも速い速度となるように手で勢いよく閉じたときに渦巻ばねケースからの繰り出し部と案内ローラとの間の位置で索状体が大きく垂れて渦巻ばねケースの外周の環状の凹部から外れた位置で巻き付くというトラブルの発生を防止できる。さらに、自閉装置が引戸の上端前面に取り付けられた状態において収容ケースを化粧カバーで覆うことにより案内ローラから収容ケースの外部に引き出された直後の索状体を前方より見えないようにすることが可能となり、案内ローラからの索状体の引き出し部が隠れるので、引戸の上部がすっきりした状態となる。
【発明を実施するための最良の形態】
【０００８】
以下、本発明の実施の形態を、図面に基づき具体的に説明する。
先ず、図１〜図９に示す第１の実施の形態について説明すると、１は引戸であって、屋内の出入り口などの所定位置に設けられている上枠２、戸先側竪枠３、戸尻側竪枠４および下枠５で形成された開口部に設けられている。
【０００９】
前記引戸１の上端は上枠２の下面に形成された溝６内に摺動自在に嵌入し、また引戸１の下端は戸先寄りおよび戸尻寄りの位置に設けられた戸車７，７が下枠５に形成された溝８に嵌入して引戸１が自在に開閉できるようになっている。
【００１０】
引戸１の戸尻寄りの上端前面には制動装置９付きの自閉装置１０が取り付けられている。この自閉装置１０は収容ケース１１と、収容ケース１１内における戸尻寄り箇所に立設状態で配設され、巻き戻しによる反発力により引戸１の閉動作を行なわせる渦巻ばね１２と、この渦巻ばね１２の中心側端部が係止され収容ケース１１より外部にのぞむように露出して渦巻ばね１２のばね力調整可能な軸体１３と、渦巻ばね１２を収納し渦巻ばね１２の外周側端部が係止されている回転可能な渦巻ばねケース１４と、渦巻ばねケース１４の開口部を覆うように渦巻ばねケース１４に取り付けられ外周に歯車１５が形成された歯車板１６と、収容ケース１１内における戸先寄り箇所に配設され、所定の回転方向に対してのみ制動機能を発揮して引戸１が閉方向に移動される際にこの閉動作を制動させるオイルダンパによる前記制動装置９と、この制動装置９の外周に形成されて前記歯車１５と噛合する制動用の歯車１７と、前記歯車板１６により開口部が閉じられた渦巻ばねケース１４の外周に形成される環状の凹部１８に巻回されて一端が渦巻ばねケース１４に固定されたワイヤーなどの索状体１９と、渦巻ばねケース１４から繰り出された索状体１９の他端側を収容ケース１１の上部から突出させ戸先側に導くために収容ケース１１の上部に設けた案内ローラ２０と、収容ケース１１内において前記渦巻ばねケース１４からの繰り出し部と案内ローラ２０との間で索状体１９が垂れるのを防止するために渦巻ばねケース１４の繰り出し部と案内ローラ２０との間の位置で索状体１９よりも戸尻寄りの位置で収容ケース１１内に設けられた軸状の弛み防止部材２１とを備えている。なお、前記収容ケース１１の上部から突出する索状体１９の他端側は、出入り口を形成する開口部を閉じた状態における引戸１の戸尻寄り側端部近傍位置の上側位置で上枠２の下面に取り付けた止め具２２に引っ掛けられている。
【００１１】
上記構成において、引戸１が手で開かれることにより渦巻ばね１２の位置が引戸１とともに移動し、索状体１９が渦巻ばねケース１４の凹部１８から引き出され、それにより渦巻ばね１２は閉止方向への反発力を蓄積する。そこで、開かれた引戸１から手を離すなどして止める力を解除することにより渦巻ばね１２に蓄積されていた反発力によって索状体１９を渦巻ばねケース１４の凹部１８に巻き取るように作用し、その結果引戸１を閉じる方向に摺動させることになる。そのとき、前記渦巻ばねケース１４側の歯車１５と引戸１が閉方向に移動される際にこの閉動作を制動させる制動装置９側の歯車１７が噛み合って連動しているので、引戸１が渦巻ばね１２の反発力によって急激に閉じるのを制動装置９によって防止することができ、引戸１をブレーキを掛けながら閉動させることができる。
【００１２】
また、渦巻ばねケース１４からの繰り出し部と案内ローラ２０との間の位置で索状体１９よりも戸尻寄りの位置で収容ケース１１内に弛み防止部材２１を備えているので、引戸１を渦巻ばね１２による閉動速度よりも速い速度となるように手で勢いよく閉じたときに渦巻ばねケース１４からの繰り出し部と案内ローラ２０との間の位置で索状体１９が大きく垂れて凹部１８から外れた位置で巻き付くのを抑制することが可能となる。
【００１３】
ところで、本実施の形態において前記収容ケース１１は化粧カバー２３によって前方より覆われている。化粧カバー２３は収容ケース１１の前面を覆う前面覆い部２３ａと、収容ケース１１の下面を覆う下面覆い部２３ｂと、収容ケース１１の左右の側面を覆う側面覆い部２３ｃ，２３ｃとを備え、側面覆い部２３ｃ，２３ｃの上端内面には収容ケース１１の上端角部の上面に係止する爪部２３ｄ，２３ｄが形成され、さらに前面覆い部２３ａの上端には前記案内ローラ２０から収容ケース１１の外部に引き出された直後の索状体１９を前方より見えないようにするための覆い部２３ｅが延設されている。この化粧カバー２３は収容ケース１１の前方より嵌め込み、前記爪部２３ｄ，２３ｄを収容ケース１１の上端角部の上面に係止させた状態とし、化粧カバー２３の下端の下面覆い部２３ｂに形成されたビス挿通孔２３ｆよりビス２４を挿通させて収容ケース１１の下面に形成されたビス孔（図示せず）に螺入させることにより収容ケース１１にセットされる。このように収容ケース１１に化粧カバー２３を取り付けることにより案内ローラ２０から収容ケース１１の外部に引き出された直後の索状体１９を前方より見えないようにすることが可能となり、案内ローラ２０からの索状体１９の引き出し部が隠れるので、引戸１の上部がすっきりした状態となる。
【００１４】
なお、図面に示す実施の形態では、自閉装置１０を引戸１の戸尻寄りの上端に取り付けているが、引戸１の戸先寄りの上端もしくは戸尻と戸先との間の上端位置に取り付けることも可能であり、これに合わせて索状体１９の他端側は前記案内ローラ２０を介して戸先側に向きを変えて上枠２の下面に支持される。また、図面に示す実施の形態では、収容ケース１１内における戸尻寄り箇所に渦巻ばね１２を収納する渦巻ばねケース１４を設け、収容ケース１１内における戸先寄り箇所に制動装置９を設けているが、収容ケース１１内における戸先寄り箇所に渦巻ばね１２を収納する渦巻ばねケース１４を設け、収容ケース１１内における戸尻寄り箇所に制動装置９を設けるようにしても良い。さらに、図面に示す実施の形態では、引戸１の上端は上枠２の下面に形成された溝６内に摺動自在に嵌入し、また引戸１の下端は戸先寄りおよび戸尻寄りの位置に設けられた戸車７，７が下枠５に形成された溝８に嵌入してなる下戸車タイプであるが、上吊りタイプで引戸１を支持するようにしても良い。
【００１５】
次に、図１０〜図１２に示す第２の実施の形態について説明すると、この実施の形態では上吊りタイプで支持された引戸１の戸先寄りの位置で上端面より形成した凹部２５内に自閉装置１０を埋め込んである。図において、２６は上枠２に埋設したハンガーレール２７に沿って走行するように引戸１の上端に取り付けられた上吊り用のローラ、２８は収容ケース１１の上部から突出する索状体１９の他端側を止めるためにハンガーレール２７の一端上面に下向きに取り付けた棒状の止め具で、この止め具２８の下端に索状体１９の他端側が止められる。なお、この実施の形態では上吊りタイプで引戸１を支持しているが、前記第１の実施の形態と同様に下戸車タイプで引戸１を支持するようにしても良い。
【図面の簡単な説明】
【００１６】
【図１】本発明の第１の実施の形態における引戸が閉じられた状態における引戸装置全体を示す正面図である。
【図２】同引戸が開かれた状態における引戸装置全体を示す正面図である。
【図３】同引戸の自閉装置取付け部において化粧カバーを外した状態を示す正面図である。
【図４】同引戸の自閉装置の内部の正面図である。
【図５】同引戸の自閉装置の一部切り欠き平面図である。
【図６】同引戸の自閉装置を覆う化粧カバーを前方から見た斜視図である。
【図７】同引戸の自閉装置を覆う化粧カバーを後方から見た斜視図である。
【図８】同引戸の自閉装置取付け部において化粧カバーを取り付けた状態を示す正面図である。
【図９】同引戸の自閉装置に対する化粧カバーの取り付け状態を示す断面図である。
【図１０】本発明の第２の実施の形態における引戸が閉じられた状態における引戸装置全体を示す正面図である。
【図１１】図１０のＸ−Ｘ矢視図である。
【図１２】図１０のＹ−Ｙ矢視図である。
【符号の説明】
【００１７】
１      引戸
２      上枠
３      戸先側竪枠
４      戸尻側竪枠
５      下枠
６      溝
７      戸車
８      溝
９      制動装置
１０      自閉装置
１１      収容ケース
１２      渦巻ばね
１３      軸体
１４      渦巻ばねケース
１５      歯車
１６      歯車板
１７      歯車
１８      凹部
１９      索状体
２０      案内ローラ
２１      弛み防止部材
２２      止め具
２３      化粧カバー
２３ａ    前面覆い部
２３ｂ    下面覆い部
２３ｃ    側面覆い部
２３ｄ    爪部
２３ｅ    覆い部
２３ｆ    ビス挿通孔
２４      ビス
２５      凹部
２６      ローラ
２７      ハンガーレール
２８      止め具
【図１】
2007332760.tif 000003
【図２】
2007332760.tif 000004
【図３】
2007332760.tif 000005
【図４】
2007332760.tif 000006
【図５】
2007332760.tif 000007
【図６】
2007332760.tif 000008
【図７】
2007332760.tif 000009
【図８】
2007332760.tif 000010
【図９】
2007332760.tif 000011
【図１０】
2007332760.tif 000012
【図１１】
2007332760.tif 000013
【図１２】
2007332760.tif 000014